(57)【要約】      （修正有）【課題】空間を十分に利用でき、使用時に速やかに展開可能あるいは収納可能なハンガー掛けを提供する。【解決手段】ハンガー掛けセット１０と、二つの連結座セット２０と、二つの固定座３０と、支持脚セット４０と、補助棒５０とを含む。ハンガー掛けセットは、水平棒１１を有し、水平棒の両側に接続部１２と、伸縮調整可能な延長棒１３を有し、接続部の底部に垂直の支持棒１５を挿入する。連結座セットは、本体２１を有し、本体の中央には、挿入孔を有する筒部２１２が一体化成型されており、筒部に支持棒を上から下へ差し込む。支持脚セットは、四本の支持脚４１を有し、その先端はそれぞれ本体に差し込まれる。固定座は、二つの本体の相対する内側に設置され、対向する凸部３１を設け、凸部は、受け口が上向きの固定部３２を有し、固定部に補助棒を嵌入して、二つの連結座セットの本体間に設置し、衣服掛け用のスペースが設けられる。【選択図】図２
0003169312.tif 000002
【実用新案登録請求の範囲】
【請求項１】
ハンガー掛けセットと、二つの連結座セットと、二つの固定座と、支持脚セットと、補助棒とを含み、
ハンガー掛けセットは、水平棒を有し、水平棒の両側にはそれぞれ接続部を利用し、伸縮調整可能な延長棒を接続し、
延長棒は、接続部にある第一制御部の操作により、調整後の定位置に達し、
接続部の底部に垂直の支持棒を挿入して接続し、
連結座セットは、本体を有し、本体は、周囲を囲む周壁を有し、周壁の内部には空間ができ、空間の中央には、挿入孔を有する筒部が一体化成型されており、筒部にハンガー掛けセットの支持棒を上から下へ差し込むことにより、支持棒は本体の高さ方向での位置調整が可能になり、
筒部は、本体の内部空間を左右に二つの個室に分割し、
支持棒は、本体にある第二制御部の操作により、調整後の定位置に達し、
支持脚セットは、四本の支持脚を有し、その先端はそれぞれ本体の二つの個室の下半部空間に差し込まれることにより、支持脚は本体との枢着が展開あるいは収納だけの状態になり、
固定座は、二つの本体の相対する内側に設置され、二つの固定座には対向するそれぞれの凸部を設け、
凸部は、受け口が上向きの固定部を有し、固定部の両側の内壁面の上部付近にそれぞれ水平延長の位置決めリブを設け、固定部に補助棒を嵌入し、位置決めリブが補助棒の外周に嵌るため、補助棒を二つの連結座セットの本体間に設置し、衣服掛け用のスペースが設けられていることを特徴とするハンガー構造改良。
【請求項２】
接続部外周は切込みと凸部を利用することにより、第一制御部を枢着軸で枢着させ、
第一制御部の一端部は枢着部であり、該枢着部は切込みに合致する偏心突起であり、
第一制御部の他端部は延長した操作レバーであり、
第一制御部の操作レバーの動作で枢着部の偏心突起が固定されるため、延長棒は調整後に位置決められることを特徴とする請求項１に記載のハンガー構造改良。
【請求項３】
本体外周は切込みと凸部を利用することにより、第二制御部を枢着軸で枢着させ、
第二制御部の一端部は枢着部であり、該枢着部は切込みに合致する偏心突起であり、
第二制御部の他端部は延長した操作レバーであり、
第二制御部の操作レバーの動作で枢着部の偏心突起が固定されるため、支持棒は調整後に位置決められることを特徴とする請求項１に記載のハンガー構造改良。
【請求項４】
連結座セットの本体周壁の外側には、Ｍ形状の凸状リブが設けられていることを特徴とする請求項１に記載のハンガー構造改良。
【請求項５】
固定座は二つの本体の相対する内側に固定されていることを特徴とする請求項１に記載のハンガー構造改良。
【請求項６】
固定座の固定部は受け口が上向きのＵ字形になっていることを特徴とする請求項１に記載のハンガー構造改良。
【考案の詳細な説明】
【技術分野】
【０００１】
本考案はハンガー構造改良に関する。特に空間を十分に利用でき、使用時に速やかに展開可能あるいは収納可能なハンガー構造である。
【背景技術】
【０００２】
従来のハンガー構造の多くは、図５に示すように、支持脚座セット（６０）と、連結座セット（７０）と、ハンガー掛けセット（８０）とを含む。その中、支持脚座セット（６０）には少なくとも二つの棒セット（６１）があり、棒セット（６１）ごとに底部の両端にそれぞれキャスター（６２）が取り付けられる。連結座セット（７０）の連結座（７１）は受け口が下向きの大きい座体であり、連結座（７１）中央に先端から底面に貫通する貫通孔（７２）を設けるため、貫通孔（７２）で両側が枢着孔として分割される。その二つの連結座（７１）は両側に設置し、二つの棒セット（６１）の先端は四本の棒（６１１）で形成される。その四本の棒（６１１）はそれぞれ連結座（７１）から構成した四本の枢着孔の中に差し込まなければならない上、それぞれスクリューセットを横に貫通させ、連結座（７１）と棒体（６１１）を枢着する。棒体（６１１）枢着は展開あるいは収納の状態に限られる。また、貫通孔（７２）側面に切込みを設け、それにより位置決め部（７３）を枢着する。その位置決め部（７３）は一体化成型された偏心凸体と操作レバーとを有する。操作レバーの操作で偏心凸体がつられて同時に回転するため、貫通孔（７２）の中に上記偏心凸体により垂直昇降棒（８１）を締め付けて固定する。ハンガー掛けセット（８０）の両側にそれぞれ垂直昇降棒（８１）を設け、二つの垂直昇降棒（８１）の上部間に横掛け棒（８２）が接続される。その横掛け棒（８２）の両端は同様に操作レバーと偏心凸体とを有する位置決め部（８３）で横伸縮棒（８４）を締め付けて固定する。
【０００３】
しかし、前述のように従来の構造は実際の使用においては、以下の問題が生じる。
（一）そのハンガーは横掛け棒（８２）と横伸縮棒（８４）だけ使用するため、使用時に干すスペースが不足する問題がよく発生する。
（二）もし干すスペースを拡大する場合、ハンガーの数を増やすのは経済的ではない上、ハンガーが地面に置ける空間がなければ、不可能である。
【０００４】
その故、前述の従来ハンガー構造における欠点について研究改良するのは、この業界が研究に力を尽くす目標であった。本考案者はその点を考え、長年の経験を生かして設計し、多方面に検討しつつ試作をした上、修正・改良の回数を重ねた結果、本考案を生み出したのである。
【考案の概要】
【考案が解決しようとする課題】
【０００５】
本考案は、従来のハンガーは横掛け棒と横伸縮棒だけ使えるため、使用時に干すスペースが不足する問題がよく発生する技術問題を解決するものである。
【課題を解決するための手段】
【０００６】
ハンガー掛けセットと、二つの連結座セットと、固定座と、支持脚セットと、補助棒とを含むハンガー構造改良を提供する。その中、ハンガー掛けセットは、水平棒と、二つの接続部と、二つの延長棒とを含む。延長棒は、接続部にある第一制御部の操作により、調整後の定位置に達せられる。接続部の底部には支持棒が接続される。連結座セットは本体を含み、本体中央には、ハンガー掛けセットの支持棒を差し込むための筒部が形成されている。支持棒は本体にある第二制御部の操作により、調整後の定位置に達せられる。固定座は二つの本体の相対する内側に設置され、相対する凸部が設けられている。凸部にはＵ字形固定部が設けられており、固定部の両側の内壁面の上部に近い所にそれぞれ水平延長の位置決めリブが設けられている。支持脚セットは、四本の支持脚を有し、その先端はそれぞれ本体の二つの個室の下半部空間に差し込んで枢着される。
【考案の効果】
【０００７】
本考案は、下記効果を有する。
（一）本考案は、ハンガー構造改良を提供する。補助棒の位置決めを利用し、さらに掛けて干すためのスペースを生み、衣服が大量に掛けられる。本ハンガーの上下ともに衣服が掛けられる設計は空間が有効利用でき、干すスペースが不足する問題が避けられる。
【０００８】
（二）本考案は、ハンガー構造改良を提供する。補助棒の位置決めを利用し、さらに掛けて干すためのスペースを生み、衣服が大量に掛けられる。本ハンガーの上下ともに衣服が掛けられる設計はハンガーの数を有効に減少でき、経済的で省スペースである。
【０００９】
（三）本考案は、ハンガー構造改良を提供する。補助棒はハンガーの両側に連接するため、衣服を掛けることを提供するだけでなく、ハンガー構造を補強する役割もでき、ハンガーを安定的に設置することができる。
【図面の簡単な説明】
【００１０】
【図１】図１は、本考案の立体組立図である。
【図２】図２は、本考案の立体分解および局部拡大図である
【図３】図３は、本考案の局部組立断面図である。
【図４】図４は、本考案の同時に水平棒と補助棒を使って、衣服を掛けた状態の使用状態図である。
【図５】図５は、従来ハンガーの立体外観図である。
【考案を実施するための形態】
【００１１】
以下に、本考案の目的、特徴および効果をより理解、認識してもらうため、図面に合わせ実施例を挙げ、詳しく説明する。
【００１２】
まず、図１から図３に示すように、本考案のハンガー構造改良は、ハンガー掛けセット（１０）と、二つの連結座セット（２０）と、二つの固定座（３０）と、支持脚セット（４０）と、補助棒（５０）とを含む。その中、ハンガー掛けセット（１０）は、水平棒（１１）を有し、水平棒（１１）の両側にはそれぞれＴ字接続部（１２）を利用し、伸縮調整可能な延長棒（１３）を接続する。その延長棒（１３）は接続部（１２）にある第一制御部（１４）の操作により、調整後の定位置に達せられる。また、その接続部（１２）の底部に垂直の支持棒（１５）を挿入して接続する。接続部（１２）の外周は切込みと凸部を利用し、第一制御部（１４）を枢着軸で枢着させる。第一制御部（１４）の一端部は枢着部であり、その枢着部は偏心突起であり、切込みに合致する。第一制御部（１４）の他端部は延長した操作レバーである。連結座セット（２０）は、本体（２１）を有し、その本体（２１）は周囲を囲む周壁（２１１）を有する。そのため、周壁（２１１）の内部には空間ができ、その空間中央には、挿入孔を有する筒部（２１２）が一体化成型されており、筒部（２１２）にハンガー掛けセット（１０）の支持棒（１５）を上から下へ差し込む。これにより、支持棒（１５）は本体（２１）の高さ方向での位置調整が可能になる。また、筒部（２１２）は本体（２１）の内部空間を左右に二つの個室に分割する。支持棒（１５）は本体（２１）にある第二制御部（２２）の操作により、調整後の定位置に達せられる。また、第二制御部（２２）を本体（２１）に合わせた設計は、ハンガー掛けセット（１０）の第一制御部（１４）と接続部（１２）との構成と同様である。固定座（３０）は二つの本体（２１）の相対する内側に一体化成型され、あるいはそれぞれ成型後に本体（２１）に固定される。その二つの固定座（３０）には対面する凸部（３１）が設けられ、それぞれの凸部には受け口が上向きのＵ字形固定部（３２）が設けられている。固定部（３２）の両側の内壁面の上部に近い所にそれぞれ水平延長の位置決めリブ（３３）を設け、固定部（３２）に補助棒（５０）を嵌入する。位置決めリブ（３３）が補助棒（５０）の外周に嵌るため、補助棒（５０）を二つの連結座セット（２０）の本体（２１）間に順調に設置できる。従って、ほかに衣服が掛けられるスペースが生じる。支持脚セット（４０）は、四本の支持脚（４１）を有し、その先端はそれぞれ本体（２１）の二つの個室の下半部空間に差し込まれる。横方向から本体（２１）とそれぞれの支持脚（４１）を通すスクリューセットを利用し、それらを固定する。これにより、支持脚（４１）は、本体（２１）との枢着状態が単なる展開あるいは収納状態になる。支持脚（４１）の末端にキャスター（４２）を取り付ける。
【００１３】
上記の構造により、実際に使用する時は、各支持脚（４１）の展開を利用してハンガー設置時の安定性を向上できる。また、第一制御部（１４）と第二制御部（１５）の操作により、水平棒（１１）の高さあるいは延長棒（１３）の延長後の長さを調節でき、実際使用する際の必要性によって変化できる。また、一回の洗濯で衣服が多すぎる場合、水平棒（１１）と延長棒（１３）には全部の衣服を干せない時に補助棒（５０）の位置決めを利用すれば、さらに干すスペースを生み、衣服が大量に掛けられる。本ハンガーは上下ともに衣服が掛けられる設計（図４を同時に参照）は空間の有効利用ができ、干すスペースが不足する問題が避けられる。
また、本体（２１）の周壁（２１１）の外側にＭ形状の凸状リブを設け、この凸状リブにより中空本体（２１）を補強することができる。
【００１４】
上記の具体的な実施例の構造により、以下の効果が得られる。
(一)補助棒（５０）の位置決めを利用し、さらに掛けて干すためのスペースを生み、衣服が大量に掛けられる。本ハンガーは上下ともに衣服が掛けられる設計は空間が有効利用でき、干すスペースが不足する問題が避けられる。
（二）補助棒（５０）の位置決めを利用し、さらに掛けて干すためのスペースを生み、衣服が大量に掛けられる。本ハンガーの上下ともに衣服が掛けられる設計はハンガーの数を有効に減少でき、経済的で省スペースである。
（三）補助棒（５０）はハンガーの両側に連接するため、衣服を掛けることを提供するだけでなく、ハンガー構造を補強する役割もあり、ハンガーを安定的に設置することができる。
【００１５】
上記は、本考案の好適な実施例に過ぎず、本考案の範囲を制限するものではない。本考案の実用新案登録請求の範囲に基づいて行った様々な変更および修正は、すべて本実用新案登録の範囲内である。
【符号の説明】
【００１６】
１０    ハンガー掛けセット
１１    水平棒
１２    接続部
１３    延長棒
１４    第一制御部
１５    支持棒
２０    連結座セット
２１    本体
２１１  周壁
２１２  筒部
２２    第二制御部
３０    固定座
３１    凸部
３２    固定部
３３    位置決めリブ
４０    支持脚セット
４１    支持脚
４２    キャスター
５０    補助棒
【図１】
0003169312.tif 000003
【図２】
0003169312.tif 000004
【図３】
0003169312.tif 000005
【図４】
0003169312.tif 000006
【図５】
0003169312.tif 000007
【手続補正書】
【提出日】平成23年5月23日(2011.5.23)
【手続補正１】
【補正対象書類名】実用新案登録請求の範囲
【補正対象項目名】全文
【補正方法】変更
【補正の内容】
【実用新案登録請求の範囲】
【請求項１】
ハンガー掛けセットと、二つの連結座セットと、二つの固定座と、支持脚セットと、補助棒とを含み、
ハンガー掛けセットは、水平棒を有し、水平棒の両側にはそれぞれ接続部を利用し、伸縮調整可能な延長棒を接続し、
延長棒は、接続部にある第一制御部の操作により、調整後の定位置に達し、
接続部の底部に垂直の支持棒を挿入して接続し、
連結座セットは、本体を有し、本体は、周囲を囲む周壁を有し、周壁の内部には空間ができ、空間の中央には、挿入孔を有する筒部が一体化成型されており、筒部にハンガー掛けセットの支持棒を上から下へ差し込むことにより、支持棒は本体の高さ方向での位置調整が可能になり、
筒部は、本体の内部空間を左右に二つの個室に分割し、
支持棒は、本体にある第二制御部の操作により、調整後の定位置に達し、
支持脚セットは、四本の支持脚を有し、その先端はそれぞれ本体の二つの個室の下半部空間に差し込まれることにより、支持脚は本体との枢着が展開あるいは収納だけの状態になり、
固定座は、二つの本体の相対する内側に設置され、二つの固定座には対向するそれぞれの凸部を設け、
凸部は、受け口が上向きの固定部を有し、固定部の両側の内壁面の上部付近にそれぞれ水平延長の位置決めリブを設け、固定部に補助棒を嵌入し、位置決めリブが補助棒の外周に嵌るため、補助棒を二つの連結座セットの本体間に設置し、衣服掛け用のスペースが設けられていることを特徴とするハンガー掛け。
【請求項２】
接続部外周は切込みと凸部を利用することにより、第一制御部を枢着軸で枢着させ、
第一制御部の一端部は枢着部であり、該枢着部は切込みに合致する偏心突起であり、
第一制御部の他端部は延長した操作レバーであり、
第一制御部の操作レバーの動作で枢着部の偏心突起が固定されるため、延長棒は調整後に位置決められることを特徴とする請求項１に記載のハンガー掛け。
【請求項３】
本体外周は切込みと凸部を利用することにより、第二制御部を枢着軸で枢着させ、
第二制御部の一端部は枢着部であり、該枢着部は切込みに合致する偏心突起であり、
第二制御部の他端部は延長した操作レバーであり、
第二制御部の操作レバーの動作で枢着部の偏心突起が固定されるため、支持棒は調整後に位置決められることを特徴とする請求項１に記載のハンガー掛け。
【請求項４】
連結座セットの本体周壁の外側には、Ｍ形状の凸状リブが設けられていることを特徴とする請求項１に記載のハンガー掛け。
【請求項５】
固定座は二つの本体の相対する内側に固定されていることを特徴とする請求項１に記載のハンガー掛け。
【請求項６】
固定座の固定部は受け口が上向きのＵ字形になっていることを特徴とする請求項１に記載のハンガー掛け。